(57)【要約】      （修正有）【課題】全体をダルマの形状に模すことで面白みのある形状としつつ、ダルマの頭部や背部で広い部分の消去を行い、細かい部分は分解したダルマの端や縁で消去できる消しゴムを提供する。【解決手段】全体が消しゴム材料で成形されたダルマを模した消しゴムであり、ダルマの正面側及び背面側に分割され、一体となってダルマの本体を形成する正面側及び背面側の一対の本体部１０と、正面側の本体部１０ａにダルマ正面側からはめ込まれてダルマの顔を形成するとともに、背面側の本体部１０ｂと嵌合することにより、正面側及び背面側の本体部１０を一体化させる顔部２０と、本体部１０の内部に収納された状態で挟持され、正面側の本体部１０ａ及び顔部２０に形成された孔部を介してダルマ正面側に露出するとともに、正面側及び背面側の本体部１０ａ，１０ｂと嵌合することにより、正面側及び背面側の本体部１０ａ，１０ｂを一体化させる顔模様部とを備える。【選択図】図１
0003181951.tif 000002
【実用新案登録請求の範囲】
【請求項１】
全体が消しゴム材料で成形されたダルマを模した消しゴムであって、
ダルマの正面側及び背面側に分割され、一体となってダルマの本体を形成する正面側及び背面側の一対の本体部と、
前記正面側の本体部にダルマ正面側からはめ込まれてダルマの顔を形成するとともに、前記背面側の本体部と嵌合することにより、前記正面側及び背面側の本体部を一体化させる顔部と、
前記本体部の内部に収納された状態で挟持され、前記正面側の本体部及び前記顔部に形成された孔部を介してダルマ正面側に露出するとともに、前記正面側及び背面側の本体部と嵌合することにより、当該正面側及び背面側の本体部を一体化させる顔模様部と、
を備えることを特徴とする消しゴム。
【請求項２】
前記正面側の本体部が、
ダルマの顔の位置に穿設され、前記顔部がダルマ正面側からはめ込まれるとともに、前記顔模様部の一部が本体部の内側から嵌合して前記顔部を介してダルマ正面側に露出する顔窓部と、この顔窓部の下側の位置にダルマの胴部模様の形状に穿設され、前記顔模様部の一部が本体部の内側から嵌合してダルマ正面側に露出する模様孔部と、を備え、
前記顔部が、
前記正面側の本体部の顔窓部にダルマ正面側からはめ込まれてダルマの顔を形成する顔表面部と、この顔表面部にダルマの眉，片目，口，髭の形状に穿設された顔孔部と、前記顔表面部の裏面側に突設されて前記顔窓部から本体部の内側に突出し、前記顔模様部を貫通しつつ前記背面側の本体部に嵌合する第一の嵌合凸部と、を備え、
前記顔模様部が、
前記正面側の本体部の顔窓部に本体部の内側から嵌合して、前記顔表面部の各顔孔部を介してダルマ正面側に露出する、ダルマの眉，片目，口，髭の形状に突設された顔凸部と、前記正面側の本体部の模様孔部に本体部の内側から嵌合して、当該模様孔部を介してダルマ正面側に露出する、ダルマの胴部模様の形状に突設された模様凸部と、前記第一の嵌合凸部が貫通する貫通孔と、当該顔模様部の裏面側に突設されて本体部の内側に突出し、前記背面側の本体部に嵌合する第二の嵌合凸部と、を備え、
前記背面側の本体部が、
前記正面側の本体部に重ね合わされた状態において、前記第一の嵌合凸部と嵌合する第一の嵌合凹部、及び前記第二の嵌合凸部と嵌合する第二の嵌合凹部を備えた請求項１記載の消しゴム。
【請求項３】
前記第一の嵌合凸部が、前記顔表面部の前記顔孔部が形成されないダルマの目の位置に対応する裏面側に突設される請求項２記載の消しゴム。
【考案の詳細な説明】
【技術分野】
【０００１】
本考案は、分解・組み立てが自在な複数の構成部分からなり、広い部分と細かい部分のいずれに対する消去をも可能とするとともに、組み立てられた状態においてダルマの形状をなす消しゴムに関する。
【背景技術】
【０００２】
一般に、字消し具として使用される消しゴムは、所定の大きさに形成された直方体・長方体形状をなしている。このような従来の消しゴムにおいては、細かい部分を消去するときは、直方体形状の角や縁の部分を使用していた。
しかしながら、消しゴムは、しばらく使用すると角や縁の部分が丸くなってしまい、細かい部分を良好に消去することができなくなるという問題があった。
【０００３】
そこで、長期にわたって細かい部分の消去を可能とした消しゴムが種々提案されている。
例えば、特許文献１には、あらかじめ複数の直方体形状に分割した消しゴムを、一つのケース内に収納し、それらを並べ替えることによって、常に角があるようにすることが提案されている。
【先行技術文献】
【特許文献】
【０００４】
【特許文献１】特開平１０−２８７０９４号公報
【考案の概要】
【考案が解決しようとする課題】
【０００５】
しかしながら、特許文献１に記載の消しゴムは、ケースが消しゴム以外の材料で形成されておりコスト高になるという問題があった。
また、この特許文献１記載の消しゴムを含めて、従来の消しゴムは、単なる直方体・長方体形状のもので、デザイン性や面白みに欠けるという問題もあった。
【０００６】
ここで、本願考案者は、鋭意研究の末、縁起物の置物として知られるダルマを象った消しゴムを案出するに至った。
ダルマは、縁起物として寺社の門前や縁日などで売られる置物・玩具であるが、これを消しゴムとして象って作られた例はない。従って、これを実現できれば縁起物であって魔除けや祈願用の置物や玩具・贈答品となり、かつ、字消し具としても使用することができ、デザイン性や面白みのあるおもしろ消しゴムとしてのダルマを提供し得ることに想到したものである。
【０００７】
すなわち、本考案は、上記の事情にかんがみなされたものであり、全体を消しゴムで成形しながら広い部分と細かい部分の消去が可能であり、しかも、消しゴムの全体形状をダルマに模すことにより、縁起物の置物としてのダルマ本来の外観・形状を備えつつ、字消し具としても有効に使用できる、デザイン性に優れた面白みのある消しゴムの提供を目的とする。
【課題を解決するための手段】
【０００８】
上記目的を達成するため、本考案に係る消しゴムは、全体が消しゴム材料で成形されたダルマを模した消しゴムであって、ダルマの正面側及び背面側に分割され、一体となってダルマの本体を形成する正面側及び背面側の一対の本体部と、正面側の本体部にダルマ正面側からはめ込まれてダルマの顔を形成するとともに、背面側の本体部と嵌合することにより、正面側及び背面側の本体部を一体化させる顔部と、本体部の内部に収納された状態で挟持され、正面側の本体部及び顔部に形成された孔部を介してダルマ正面側に露出するとともに、正面側及び背面側の本体部と嵌合することにより、当該正面側及び背面側の本体部を一体化させる顔模様部と、を備える構成としてある。
【０００９】
以上のような構成からなる本考案の消しゴムによれば、ダルマの外観形状を模した分解・組み立てが自在な複数の構成部分によって、広い部分と細かい部分のいずれに対する消去が可能となり、例えばダルマの本体部分で広い範囲の消去を行い、細かい部分は分解したダルマの本体部や顔部などの端部や縁部等を利用して消去を行うことが可能となる。
そして、本考案によれば、消しゴム全体の形状がダルマを模した形状となっており、従来の単なる直方体・長方体のみからなる消しゴムと比較して、デザイン性に優れた面白みのある消しゴムを提供することができる。
特に、縁起物のダルマは、魔除けや祈願用の置物や玩具・贈答品となり、かつ、字消し具としても使用できることになり、デザイン性や面白みのあるおもしろ消しゴムとして、また、多機能なダルマとして提供することができるようになる。
【考案の効果】
【００１０】
本考案によれば、全体を消しゴムで成形しながら広い部分と細かい部分の消去が可能であり、しかも、消しゴムの全体形状をダルマの外観形状に模すことによりデザイン性に優れた面白みのある消しゴムを提供することができるようになる。
【図面の簡単な説明】
【００１１】
【図１】本考案の実施形態に係る消しゴムの（ａ）は正面図、（ｂ）は右側面図、（ｃ）は背面図である。
【図２】本考案の実施形態に係る消しゴムの分解斜視図であり、（ａ）は正面側から見た分解斜視図、（ｂ）は背面側から見た分解斜視図である。
【考案を実施するための最良の形態】
【００１２】
以下、本考案の消しゴムの好ましい実施形態について、図面を参照しつつ説明する。
図１は、本考案の第一実施形態に係るダルマを模した消しゴムの組立完成状態の図面であり、（ａ）は正面図、（ｂ）は右側面図、（ｃ）は背面図を示している。
また、図２は、同じく本考案の実施形態に係るダルマを模した消しゴムの分解斜視図であり、（ａ）は正面側から見た分解斜視図、（ｂ）は背面側から見た分解斜視図である。
【００１３】
これらの図に示すように、本実施形態に係る消しゴムは、組立及び分解が自在な複数の構成部分によって構成されており、組み立てられた状態において全体がダルマ（だるま，達磨）の形状となるように形成されている。
具体的には、本実施形態に係るダルマ消しゴム１は、所定の消しゴム材料で成形された本体部１０，顔部２０，顔模様部３０の各パーツからなっている。
そして、これら本体部１０，顔部２０，顔模様部３０は、分解・組立が可能であって、組み立てられた完成状態において、全体としてダルマの形状になるように各部が所定の形状・構造に成形加工されている。
【００１４】
本体部１０は、ダルマの正面側及び背面側に分割され、一体となってダルマの本体を形成する正面側及び背面側の一対の本体部１０ａ，１０ｂからなる。
具体的には、一対の本体部１０ａ，１０ｂは、一体となって楕円球体状のダルマの外形を模した形に形成されている。また、本体部１０ａ，１０ｂの底面は、組立状態において置物として設置できるように、平面状に形成されている。
そして、この一対の本体部１０ａ，１０ｂに顔部２０及び顔模様部３０が組み付けられることで、全体としてダルマが構成される。
この本体部１０は、任意の色に着色されるようになっており、例えば通常のダルマの本体と同様の色（赤，白）や、通常のダルマでは珍しい色、例えば黄や緑，青などの色に着色することができる。
【００１５】
顔部２０は、正面側の本体部１０ａにダルマ正面側からはめ込まれてダルマの顔を形成する部分であり、ダルマの顔の形を模した平板状に形成される。
また、顔部２０は、背面側の本体部１０ｂと嵌合することにより、正面側及び背面側の本体部１０ａ，１０ｂを一体化させる嵌合部（第一の嵌合凸部２３）を備えている。
この顔部２０も、任意の色に着色されるようになっており、ダルマの顔がはっきりと分かるように、上述した本体部１０とは異なる色とすることが好ましい。例えば通常のダルマの顔と同様、本体部と明確に区別できるように白や肌色などとすることが好ましい。但し、それ以外の任意の色に着色することも勿論できる。
【００１６】
顔模様部３０は、本体部１０（１０ａ，１０ｂ）の内部に収納された状態で挟持され、正面側の本体部１０ａ及び顔部２０に形成された孔部を介してダルマ正面側に露出する部分であり、一対の本体部１０ａ，１０ｂ内に収納・挟持可能に形成されている。この顔模様部３０が正面側の本体部１０ａに組み込まれてダルマ正面側に露出することにより、ダルマの顔の表情（眉，片目，口，髭）及び胴部の模様が構成される。
また、この顔模様部３０が正面側及び背面側の本体部１０ａ，１０ｂと嵌合することにより、顔模様部３０を介して正面側及び背面側の本体部１０ａ，１０ｂが一体化されるようになっている。
【００１７】
この顔模様部３０も、任意の色に着色されるようになっており、顔部２０の孔部から露出することによりダルマの顔の表情（眉，片目，口，髭）がはっきりと分かるように、また、本体部１０ａの胴部から露出して模様がはっきりと分かるように、上述した顔部２０や本体部１０とは異なる色とすることが好ましい。
例えば白色や肌色の顔部２０や、赤・白などの本体部１０ａと明確に区別できるように黒などとすることが好ましい。
但し、それ以外の任意の色に着色できることは勿論である。
【００１８】
以上のように、本実施形態に係るダルマ消しゴム１では、本体部１０，顔部２０，顔模様部３０がそれぞれ個別に着色されることで、これら本体部１０，顔部２０，顔模様部３０を組み立てるだけでダルマの模様や表情を表すことができる。
従って、本体部１０や顔部２０に地色と異なる彩色や表情などを描く必要がなく、製造工程が複雑化することを防止でき、また、字消し具として使用されても、それによってダルマの顔や模様が消えてしまうことがなく、長期にわたってダルマとしての模様や表情を表しておくことができるようになる。
【００１９】
より具体的には、本実施形態に係るダルマ消しゴム１は、本体部１０（１０ａ，１０ｂ），顔部２０，顔模様部３０が以下のように構成されている。
まず、ダルマの正面側を構成している正面側の本体部１０ａは、図２に示すように、顔窓部１１と模様孔部１２を備えている。
顔窓部１１は、正面側の本体部１０ａのダルマの顔の位置に穿設された孔（窓）により構成され、この顔窓部１１に、ダルマ正面側から顔部２０がはめ込まれるようになっている。
また、この顔窓部１１にはめ込まれた顔部２０に対して、顔模様部３０の一部が本体部の内側から嵌合することにより、顔部２０を介してダルマ正面側に露出するようになっている。
【００２０】
模様孔部１２は、顔窓部１１の下側のダルマの胴部の位置に、ダルマの胴部模様の形状に穿設された孔となっている。本実施形態では、ダルマ胴部の３本の縦縞模様に対応する３本（条）の模様孔部１２が形成されている。
そして、この模様孔部１２に、顔模様部３０の一部が本体部の内側から嵌合してダルマ正面側に露出するようになっている。
【００２１】
一方、ダルマの背面側を構成する背面側の本体部１０ｂは、図２に示すように、正面側の本体部１０ａと重ね合わされる面側に、第一及び第二の嵌合凹部１３，１４を備えている。
この第一及び第二の嵌合凹部１３，１４は、本体部１０，顔部２０，顔模様部３０の各部が組み立てられて背面側の本体部１０ｂと正面側の本体部１０ａとが重ね合わされた状態において、後述する第一の嵌合凸部２３が第一の嵌合凹部１３と、第二の嵌合凸部３４が第二の嵌合凹部１４と、それぞれ嵌合するようになっている。
これによって、正面側及び背面側の本体部１０ａ，１０ｂが嵌合してダルマの形状が保持されることになる。
【００２２】
顔部２０は、図２に示すように、顔表面部２１と、この顔表面部２１に形成された複数の顔孔部２２（２２ａ〜２２ｆ）、顔表面部２１の裏面側に形成された第一の嵌合凸部２３とを備えている。
顔表面部２１は、正面側の本体部１０ａの顔窓部１１にダルマ正面側からはめ込まれてダルマの顔を形成する部分であり、ダルマの外形に沿った湾曲平板状に形成されている。
【００２３】
複数の顔孔部２２（２２ａ〜２２ｆ）は、顔表面部２１にダルマの眉，片目，口，髭の形状に穿設された孔部である。
具体的には、顔孔部２２は、ダルマの眉となる顔孔部２２ａ，２２ｂ、ダルマの片方の目となる顔孔部２２ｃ、ダルマの口となる顔孔部２２ｄ、及びダルマの髭となる顔孔部２２ｅ，２２ｆの５つの顔孔部２２が形成されている。
この顔孔部２２に対して本体内部側から顔模様部３０がはめ込まれることで、各顔孔部２２の孔形状を介して顔模様部３０が露出・視認されることになり、これによって、ダルマの眉，片目，口，髭が明確に表されるようになっている。
【００２４】
なお、顔表面部２１には、顔孔部２２ａ〜２２ｆ以外に、ダルマの鼻が一体成形により膨出形成されている。
また、顔表面部２１には、顔孔部２２ｃが形成されないもう片方の目には、目を入れるべき輪郭線２２ｇが一体成形により刻設形成されている。
一般に、縁起物としてのダルマは、片方の目のみが入れられており、もう片方の目の部分は空欄・空白となっており、後から書き入れられるようになっている。そして、ダルマの取得後に、例えば試験合格や就職・出産・選挙当選など、成就を祈願する願い事についての願掛けを行い、その願いが叶った場合に目を書き入れるようになっている。
【００２５】
そこで、本実施形態に係るダルマ消しゴム１においても、片方の目は、顔表面部２１の顔孔部２２ｃ及びこれに嵌められて露出する顔模様部３０の顔凸部３１ｃによって入れられており、もう片方の目は、後から目を書き入れられるように、輪郭線２２ｇのみが形成・刻設されている。
従って、ダルマ消しゴム１を取得後に、成就を願う願い事をして、その願い事が叶ったときには、輪郭線２２ｇで示される領域内に目を書き入れることができ、消しゴムとして形成されながらも、ダルマとしての機能を十分に発揮させることができるようになっている。
【００２６】
第一の嵌合凸部２３は、湾曲平板状の顔表面部２１の裏面側に突設されて顔窓部１１から本体部の内側に突出する円柱状をなし、一体成形により顔表面部２１と一体的に形成されている。
そして、顔部２０が本体部１０ａの顔窓部１１にダルマ正面側からはめ込まれると、第一の嵌合凸部２３は、顔窓部１１を介して本体内部に突出することになり、顔模様部３０の貫通孔３３を貫通して突出し、背面側の本体部１０ｂの上述した第一の嵌合凹部１３に嵌合するようになっている。
【００２７】
ここで、第一の嵌合凸部２３は、図２（ｂ）に示すように、顔表面部２１の顔孔部２２（２２ｃ）が形成されないダルマの目の位置に対応する裏面側（輪郭線２２ｇの裏面側）に突設されるようにしてある。
顔表面部２１の裏面に柱状・棒状に突出する第一の嵌合凸部２３を一体成形する場合に、一対の本体部１０ａ，１０ｂを嵌合させる嵌合部材としての機能を十分に発揮させるためには、一定の太さ・径を確保することが重要になる。一方で、顔表面部２１には、上記のように複数の顔孔部２２ａ〜２２ｆが穿設されることから、柱状・棒状の第一の嵌合凸部２３について、一定の太さ・径を確保するための領域設定が重要となる。
【００２８】
そこで、本実施形態では、顔表面部２１にはダルマの一方の目の部分には顔孔部が穿設されず、従って、その裏面側には第一の嵌合凸部２３を一体成形により突設するための一定の領域が確保できることに着目し、この領域に第一の嵌合凸部２３を設けるようにしてある。
これによって、顔表面部２１の裏面に柱状・棒状の第一の嵌合凸部２３を一体成形する場合に、一定の剛性や強度を保ちうる十分な太さ・径を確保することができるようになり、一対の本体部１０ａ，１０ｂの嵌合部材としての機能を必要十分に発揮させることができるようになっている。
【００２９】
顔模様部３０は、図２に示すように、ダルマ正面側に膨出形成された複数の顔凸部３１（３１ａ〜３１ｆ）と模様凸部３２、この顔模様部３０に穿設された貫通孔３３、顔模様部３０の裏面側に形成された第二の嵌合凸部３４とを備えている。
複数の顔凸部３１（３１ａ〜３１ｆ）は、顔部２０の複数の顔孔部２２（２２ａ〜２２ｆ）に対応して、ダルマの眉，片目，口，髭の形状に突設・膨出形成された凸条部である。具体的には、ダルマの眉となる顔凸部３１ａ，３１ｂ、ダルマの片方の目となる顔凸部３１ｃ、ダルマの口となる顔凸部３１ｄ、及びダルマの髭となる顔凸部３１ｅ，３１ｆの５つの顔凸部３１が形成されている。
【００３０】
そして、顔模様部３０が本体部１０の内部に配設・挟持されることにより、正面側の本体部１０ａの顔窓部１１に本体部の内側から嵌合し、複数の各顔凸部３１ａ〜３１ｆが顔表面部２１の各顔孔部２２に嵌り込むようになっている。
これにより、各顔孔部２２の孔形状を介して顔模様部３０の各顔凸部３１が露出・視認されることになり、これによって、ダルマの眉，片目，口，髭が明確に表されるようになる。
【００３１】
模様凸部３２は、正面側の本体部１０の模様孔部１２に対応して、ダルマの胴部模様の形状に突設・膨出形成された凸条部である。本実施形態では、ダルマ胴部の３本の縦縞模様に対応する３本（条）の模様凸部３２が形成されている。
そして、顔模様部３０が本体部１０の内部に配設・挟持されることにより、模様凸部３２が顔表面部２１の対応する模様孔部１２に本体部内側から嵌合して嵌り込むようになっている。
これにより、各模様孔部１２の孔形状を介して顔模様部３０の各模様凸部３２が露出・視認されることになり、これによって、ダルマの胴部模様が明確に表されるようになる。
【００３２】
貫通孔３３は、顔部２０の裏面に突設された第一の嵌合凸部２３が貫通する孔部である。
この貫通孔３３に、正面側の本体部１０ａにはめ込まれた顔部２０の裏面から突出する第一の嵌合凸部２３が貫通・突出し、上述した背面側の本体部１０ｂの第一の嵌合凹部１３に嵌合するようになっている。
【００３３】
第二の嵌合凸部３４は、顔模様部３０の模様凸部３２に対応する裏面側に突設されて本体部の内側に突出する円柱状をなし、一体成形により顔表面部２１と一体的に形成されている。
そして、顔模様部３０が本体部１０の内部に配設・挟持されて、本体部１０，顔部２０，顔模様部３０の各部が組み立てられて背面側の本体部１０ｂと正面側の本体部１０ａとが重ね合わされた状態で、第二の嵌合凸部３４は、背面側の本体部１０ｂの第二の嵌合凹部１４に嵌合するようになっている。
これによって、正面側及び背面側の本体部１０ａ，１０ｂが嵌合してダルマの形状が保持されることになる。
【００３４】
次に、以上のような構成からなる本実施形態に係るダルマ消しゴム１の組立（分解）方法について説明する。
ダルマ消しゴム１を構成する本体部１０，顔部２０及び顔模様部３０は、接着剤等を必要とすることなく、分解・組立が繰り返し可能な構造に形成されている。
ダルマ消しゴム１を組み立てる場合は、分解された状態の本体部１０（１０ａ，１０ｂ），顔部２０，顔模様部３０のうち、正面側の本体部１０ａに対して、ダルマ正面側から顔部２０を顔窓部１１にはめ込むとともに、本体部１０ａの内部側に顔模様部３０をはめ込む。
【００３５】
このようにすると、顔部２０の顔表面部２１が顔窓部１１にはめ込まれつつ、その顔表面部２１の複数の各顔孔部２２ａ〜２２ｆに、対応する顔模様部３０の各顔凸部３１ａ〜３１ｆが嵌り込んで嵌合する。同時に、本体部１０ａの模様孔部１２に、対応する顔模様部３０の模様凸部３２が嵌り込んで嵌合する。
このとき、顔表面部２１の裏面から突設された第一の嵌合凸部２３は、対応する顔模様部３０に穿設された貫通孔３３に挿通・貫通して、先端部が本体部１０ａのダルマ背面側に突出する。
【００３６】
この状態で、正面側の本体部１０ａと顔部２０及び顔模様部３０の各部が一体的に嵌合され、顔部２０の各顔孔部２２を介して対応する顔模様部３０の各顔凸部３１が露出・視認され、また、本体部１０ａの模様孔部１２を介して対応する顔模様部３０の模様凸部３２が露出・視認され、ダルマの正面側が完成する。
そして、このように顔部２０・顔模様部３０が一体的に嵌合された正面側の本体部１０ａに対して、背面側の本体部１０ｂを重ね合わせて嵌合させる。
【００３７】
顔部２０・顔模様部３０が一体的に嵌合された正面側の本体部１０ａからは、背面側の本体部１０ｂとの合わせ面に向かって、顔部２０の第一の嵌合凸部２３及び顔模様部３０の第二の嵌合凸部３４が突出している。
従って、この突出する第一及び第二の嵌合凸部２３，３４に対して、背面側の本体部１０ｂの第一及び第二の嵌合凹部１３，１４を位置合わせしつつ嵌め合わせていき、第一及び第二の嵌合凸部２３，３４と第一及び第二の嵌合凹部１３，１４とを嵌合させる。
これにより、正面側及び背面側の本体部１０ａ，１０ｂが嵌合し、ダルマの形状が完成・保持されることになり、組立が完了する。
【００３８】
組立状態のダルマ消しゴム１を分解する場合には、上述した組立手順と逆の順番で行う。
すなわち、まず一体的に嵌合している正面側及び背面側の本体部１０ａ，１０ｂを、ダルマの正面側・背面側に引き離す。
次いで、正面側の本体部１０ａに一体的に嵌合している顔部２０及び顔模様部３０を本体部１０ａから引き離す。
【００３９】
顔部２０については、本体部１０ａの背面側に突出している第一の嵌合凸部２３をダルマ正面側に押圧することで、顔部２０を本体部１０ａの顔窓部１１から引き離して取り外すことができる。
顔模様部３０については、本体部１０ａの背面側に突出している第二の嵌合凸部３４をダルマ背面側に引っ張ることで、顔模様部３０を本体部１０ａの背面側から引き離して取り外すことができる。
これによって、正面側の本体部１０ａと顔部２０及び顔模様部３０をバラバラに分離させることができ、分解作業は完了する。
【００４０】
以上のような構成からなる本実施形態に係るダルマ消しゴム１は、鉛筆書き部分の消しゴムとして使用することができるとともに、縁起物の置物・玩具等となるダルマとしても使用でき、また、ダルマを模したミニチュア，フィギュアとしても楽しむことができる。
特に、ダルマ消しゴム１の顔表面部２１には、顔孔部２２ｃが形成されないもう片方の目には、目を入れるべき輪郭線２２ｇが示されており、成就を祈願する願い事についての願掛けを行い、その願いが叶った場合に目を書き入れることができ、縁起物のダルマとして使用することができる。
なお、本消しゴムは、ゴム材からなるため、各部位同士が嵌合されると固定されており、複数の部位によって構成されていても、各部位が紛失・散逸することは有効に防止される。
【００４１】
本消しゴムを鉛筆書き部分の消しゴムとして使用する場合、組み立てられてダルマが象られた一体状態において使用することにより、広い部分を効率的に消去することができる。
また、分解した本体部１０，顔部２０，顔模様部３０の各部位の角部や縁部，端部を使用することにより、細かい部分に対して効率的に消去することができる。
また、本消しゴムは、使用することによって消耗した部位を取り外し、新しい部位と交換することでダルマとして再生することも可能となる。
【００４２】
なお、以上のような本実施形態のダルマ消しゴム１を構成する本体部１０，顔部２０，顔模様部３０の各部は、射出成形加工により形成することができる。具体的には、本体部１０，顔部２０，顔模様部３０の各部は、それぞれ、溶融された消しゴム材料が、射出成形機に備えられる専用の金型に射出・注入されて成形加工される。これによって、本体部１０，顔部２０，顔模様部３０は、それぞれが、所定の形状・大きさ・色彩に形成される。
【００４３】
金型に射出・注入される消しゴム材料としては、例えば熱可塑性エラストマー樹脂を用いることができ、ベース材料となる熱可塑性エラストマー樹脂に、炭酸カルシウム、脂肪酸、ナフテンオイル等が混合されて消しゴム材料となる。
さらに、消しゴム材料には所定色の粉末顔料が混合されて、所望の色に彩色された消しゴム材料が得られる。本実施形態では、本体部１０はダルマの本体部分の色彩（例えば赤，白，黄，緑等）、顔部２０はダルマの顔面の色彩（例えば白，肌色）、顔模様部３０はダルマの眉や目，髭などに対応した色彩（例えば黒）に彩色された消しゴム材料が使用される。
【００４４】
以上説明したように、本実施形態に係るダルマ消しゴム１によれば、ダルマを模した分解・組み立てが自在な複数の構成部分によって、広い部分と細かい部分のいずれに対する消去が可能となり、例えばダルマの背中や胴部，頭部を構成する本体部１０で広い範囲の消去を行い、細かい部分は分解した本体部１０や顔部２０，顔模様部３０の端部，縁部等を利用して消去を行うことができる。これによって、全ての構成部分が消しゴムでありながら、また、使用が繰り返された後でも、広い範囲と細かい範囲の消去の双方に対応できる利便性の高い消しゴムを提供することができる。
そして、本実施形態のダルマ消しゴム１によれば、消しゴム全体の形状がダルマを模した形状となっているので、従来の単なる直方体・長方体のみからなる消しゴムと比較して、デザイン性に優れた面白みのある消しゴムを提供することができる。
【００４５】
以上、本考案のダルマ形状をなす消しゴムの好ましい実施形態について説明したが、本考案に係る消しゴムは上述した実施形態にのみ限定されるものではなく、本考案の範囲で種々の変更実施が可能であることは言うまでもない。
【産業上の利用可能性】
【００４６】
本考案は、分解・組み立てが自在な複数の構成部分からなり、広い部分と細かい部分のいずれに対する消去をも可能とするとともに、組み立てられた状態においてダルマの形状をなす消しゴムの製造，販売等に好適に利用することができる。
【符号の説明】
【００４７】
１０  本体部
１０ａ  正面側の本体部
１０ｂ  背面側の本体部
１１  顔窓部
１２  模様孔部
１３  第一の嵌合凹部
１４  第二の嵌合凹部
２０  顔部
２１  顔表面部
２２  顔孔部
２２ａ，ｂ  顔孔部（眉）
２２ｃ  顔孔部（片目）
２２ｄ  顔孔部（口）
２２ｅ，ｆ  顔孔部（髭）
２３  第一の嵌合凸部
３０  顔模様部
３１ａ，ｂ  顔凸部（眉）
３１ｃ  顔凸部（片目）
３１ｄ  顔凸部（口）
３１ｅ，ｆ  顔凸部（髭）
３２  模様凸部
３３  貫通孔
３４  第二の嵌合凸部
【図１】
0003181951.tif 000003
【図２】
0003181951.tif 000004